(57)【要約】      （修正有）【課題】馳締タイプの折板屋根において、外気温度による熱伸縮に良好に対応することができる屋根，壁等の馳締外囲体とする。【解決手段】取付台座部と，該取付台座部の上方に形成され且つ前後方向に沿って延出する馳締屈曲部３と、前記取付台座部に形成され且つ前記馳締屈曲部３の延出方向に沿って長手方向とした取付長孔１１とからなる馳締用吊子Ａと、受金具５と、主板６１の幅方向両側より立上り側部６２，６２が形成され、一方の立上り側部６２の上端に下馳部６４が形成され他方の立上り側部６２の上端に上馳部６５が形成された折板建築用板６とからなり、前記取付長孔１１に固着具５３が貫通されて受金具５に固着されると共に、前記馳締屈曲部３に幅方向に隣接する折板建築用板６の下馳部６４と上馳部６５とが馳締される。【選択図】図１
2008184829.tif 000002
【特許請求の範囲】
【請求項１】
取付台座部と，該取付台座部の上方に形成され且つ前後方向に沿って延出する馳締屈曲部と、前記取付台座部に形成され且つ前記馳締屈曲部の延出方向に沿って長手方向とした取付長孔とからなる馳締用吊子と、受金具と、主板の幅方向両側より立上り側部が形成され、一方の立上り側部の上端に下馳部が形成され他方の立上り側部の上端に上馳部が形成された折板建築用板とからなり、前記取付長孔に固着具が貫通されて受金具に固着されると共に、前記馳締屈曲部に幅方向に隣接する折板建築用板の下馳部と上馳部とが馳締されてなることを特徴とする馳締外囲体。
【請求項２】
請求項１において、前記取付台座部には、厚肉金属材から形成された座金部が設けられ、該座金部には前記取付長孔と略同一形状の座金取付長孔が穿孔されてなることを特徴とする馳締外囲体。
【請求項３】
請求項１又は２において、前記馳締屈曲部は、弧状屈曲片によって形成されてなることを特徴とする馳締外囲体。
【請求項４】
請求項１又は２において、前記馳締屈曲部は、角状屈曲片によって形成されてなることを特徴とする馳締外囲体。
【発明の詳細な説明】
【技術分野】
【０００１】
本発明は、馳締タイプの折板屋根において、外気温度による熱伸縮に良好に対応することができる屋根，壁等の馳締外囲体に関する。
【背景技術】
【０００２】
従来、金属製の馳締タイプの折板建築用板からなる屋根（壁も含む）が多く施工されている。このような屋根を構成する折板建築用板は、谷状部の幅方向両側に馳締連結用屈曲部を形成したもので、その折板建築用板を複数並設し、隣接する折板建築用板同士の下馳部と上馳部とを吊子及び受金具を介して施工される。このような馳締タイプの折板屋根では、外気温度の変化によって、馳締連結が長手方向に沿って伸縮する。この伸縮量は、夏等の高温時には極めて大きく、熱歪が発生することにより、特に馳締連結部の吊子及び受金具による固定箇所では、熱伸縮による大きな歪が現れて、きしみ音が出る音鳴り現象が発生することになる。
【特許文献１】特開平１１−３５０６７２号
【特許文献２】特開平１１−２２９５６４号
【発明の開示】
【発明が解決しようとする課題】
【０００３】
このような音鳴り現象は、前述したように、馳締連結部が吊子及び受金具にて固定されているために発生するものである。しかしながら、従来の吊子は、特許文献１に開示されているように、吊子には円形状の貫通孔が形成されており、受金具に設けられたボルトによって固定され、吊子が受金具に対して略不動状態である。したがって、馳締連結部の熱伸縮を吸収するような構造ではないため音鳴り現象を防止することができない。
【０００４】
また、特許文献２では、吊子が２部材から構成され、タイトフレームに固定するための座金に貫通孔が形成されたものが開示されているが、この特許文献２でも、貫通孔は円形状である。さらに、特許文献２では、タイトフレームへの固定として座金に長孔が形成されたものが存在しているが、この長孔の長手方向は吊子に装着される屋根板材の馳締連結部の長手方向とは直交する方向にあり、前記馳締連結部の長手方向における熱伸縮を吸収することができない。本発明の目的（課題又は目的等）は、馳締タイプの折板屋根の馳締連結部における熱伸縮を吸収すると共に音鳴り現象の発生を簡単に防止することができ、しかも極めて簡単な構造にすることができる吊子を提供することである。
【課題を解決するための手段】
【０００５】
そこで、発明者は上記課題を解決すべく、鋭意，研究を重ねた結果、請求項１の発明を、取付台座部と，該取付台座部の上方に形成され且つ前後方向に沿って延出する馳締屈曲部と、前記取付台座部に形成され且つ前記馳締屈曲部の延出方向に沿って長手方向とした取付長孔とからなる馳締用吊子と、受金具と、主板の幅方向両側より立上り側部が形成され、一方の立上り側部の上端に下馳部が形成され他方の立上り側部の上端に上馳部が形成された折板建築用板とからなり、前記取付長孔に固着具が貫通されて受金具に固着されると共に、前記馳締屈曲部に幅方向に隣接する折板建築用板の下馳部と上馳部とが馳締されてなる馳締外囲体としたことにより、上記課題を解決した。
【０００６】
請求項２の発明を、前述の構成において、前記取付台座部には、厚肉金属材から形成された座金部が設けられ、該座金部には前記取付長孔と略同一形状の座金取付長孔が穿孔されてなる馳締外囲体としたことにより、上記課題を解決した。請求項３の発明を、前述の構成において、前記馳締屈曲部は、弧状屈曲片によって形成されてなる馳締外囲体としたことにより、上記課題を解決した。請求項４の発明を、前述の構成において、前記馳締屈曲部は、角状屈曲片によって形成されてなる馳締外囲体としたことにより、上記課題を解決した。
【発明の効果】
【０００７】
請求項１の発明においては、第１に屋根，壁とした外囲体の音鳴り現象を回避することができるし、第２に吊子，受金具等の部品を極めて簡単な構造とし、外囲体の施工を簡易且つ迅速にすることができる等の種々の効果を奏する。馳締用吊子には、馳締屈曲部の前後方向に沿って延出する取付長孔を備えているので、前記馳締屈曲部を固定する受金具の固着具に対して、折板建築用板の長手方向における熱伸縮の発生時には、馳締用吊子が本体取付長孔の延出方向に沿って移動することができるものである。これによって、馳締外囲体における折板建築用板の熱伸縮を良好に吸収することができ、音鳴現象を防止することができる。
【０００８】
請求項２の発明は、前記取付台座部には、厚肉金属材から形成された座金が設けられ、該座金には前記取付孔と共に前記取付孔が穿孔されたことにより馳締用吊子を受金具に安定した状態で固着することができる。請求項３の発明によって、前記馳締屈曲部は、弧状屈曲片によって形成されることにより、馳締部が弧状とした折板建築用板に好適である。請求項４の発明によって、前記馳締屈曲部が角状屈曲片によって形成されることにより、前記馳締部が角状とした折板建築用板に好適である。
【発明を実施するための最良の形態】
【０００９】
以下、本発明の実施形態を図面に基づいて説明する。前記馳締用吊子Ａは、図２に示すように、取付台座部1と、首部２と、馳締屈曲部３と、座金部４とから構成される。前記取付台座部1は、略平坦板状で且つ長方形又は正方形等の方形状に形成されている〔図２（Ａ），（Ｂ）参照〕。該取付台座部1は、幅方向の一端側から略垂直状に首部２が形成されている。該首部２は、立上り状で、下部から上部に向かって次第に前後方向に広がりながら形成されたものである〔図２（Ｃ）参照〕。前記首部２の前後方向の形状は、換言すると略逆富士山形状或いは逆扁平三角形状に形成されている〔図２（Ｃ）参照〕。
【００１０】
該首部２の上端から馳締屈曲部３が形成されている。該馳締屈曲部３は、弧状屈曲片３１，頂片３２，弧状端縁３３が形成されており、後述の折板建築用板６の弧状に形成された下馳部６４と上馳部６５に対応するものである。具体的には、図２（Ｄ）に示すように、前記首部２の上端には、弧状屈曲片３１が形成され、該弧状屈曲片３１の上端より頂片３２が形成され、該頂片３２の端部より弧状端縁３３が形成されている。前記弧状屈曲片３１は、前記弧状端縁３３よりも曲率半径が大きく形成されている〔図２（Ｄ）参照〕。
【００１１】
また、前記頂片３２は、平坦状に形成されている。前記馳締屈曲部３は、前後方向に延出して形成されている。具体的には、前記首部２の上端と、馳締屈曲部３の前後方向に延出する方向の長さとが一致するように形成されている〔図２（Ｃ）参照〕。さらに、前記馳締屈曲部３の別の実施形態としては、図６（Ａ）に示すように、角状屈曲片３４から構成されたものであり、具体的には略三角形状に屈曲形成されたものである。該角状屈曲部３４は、後述する折板建築用板６の角形状の下馳部６４及び上馳部６５とを備えた折板建築用板６に対応するものである。
【００１２】
前記取付台座部1，首部２及び馳締屈曲部３は、薄肉金属板にて形成されており、具体的には、肉厚が約0.5mm乃至1.5mm程度であり、好ましくは約１mm厚のものが使用される。前記取付台座部1には、取付長孔１１が形成されている。該取付長孔１１は、前記取付台座部1に貫通孔として形成されたものであり、図２（Ｂ），（Ｃ）に示すように、前記馳締屈曲部３の延出方向に沿って長孔として形成されたものである。或いは、前記取付長孔１１は、前記取付台座部1の前後方向に沿って延出する長孔として形成されている。すなわち、前記取付長孔１１の長手方向（延出方向）と、前記馳締屈曲部３の延出方向とは、一致（略一致も含む）している。また、前記取付長孔１１の長手方向（延出方向）の長さは、取付長孔１１の狭幅の寸法の約２倍乃至３倍程度が好ましいが、必ずしもこの比率に限定されるものではない。
【００１３】
前記取付台座部1には、座金部４が装着される。該座金部４は、厚肉金属板にて形成されたものであり、断面略扁平「口」字形状となるように折曲形成されている。具体的には、厚肉金属板の適宜の方形状領域が下部側板片４１として形成され、該下部側板片４１の幅方向両端部が略直角状に折曲されて立上り側板片４２，４２として形成され、さらに両立上り側板片４２，４２の下方側の一部を残して互いに内方に折曲されて上部側板片４３が形成されたものである。前記座金部４の下部側板片４１には、座金取付長孔４１１が形成されている。
【００１４】
該座金取付長孔４１１は、前記取付長孔１１と略同一形状の長孔として形成されたものである。すなわち、座金取付長孔４１１は、前記取付長孔１１と同様に、前記馳締屈曲部３の延出方向と同一方向に延出する長孔として形成されたものである〔図２（Ａ）乃至（Ｃ）参照〕。さらに座金部４の上部側板片４３には、大貫通孔４３１が形成されている。そして、前記取付台座部1の前後方向両端に折返し屈曲片１２，１２が折曲形成されて、該折返し屈曲片１２，１２が図２（Ａ），（Ｃ）に示すように、前記座金部４の下部側板片４１と上部側板片４３との間に挿入且つ圧着されるようにして、座金部４が取付台座部1上に固着される。
【００１５】
さらに、前記座金部４が取付台座部1に固着される構造としては、図３に示すように、該取付台座部1の前記首部２が形成されている箇所を除く３辺に略直角状の立上り側片１３，１３，…が形成され、該立上り側片１３によって、前記座金部４の周囲が囲まれて固着されるものである。さらに、図４（Ａ），（Ｂ）に示すように、馳締用吊子Ａには、前記座金部４が装着されないこともある。すなわち、取付台座部1のみで受金具５に固着されるものである。
【００１６】
次に、受金具５は、図５に示すように、金属帯板から台形山形状に折曲形成されたものであり、頂部５１の幅方向両側から外向き傾斜状に脚部５２，５２が形成されている。また前記頂部５１は段差部５１１を介して折板建築用板６を支持する高位頂部５１２と馳締用吊子Ａを支持する低位頂部５１３とから構成される。該低位頂部５１３には、ボルト等の固着具５３が固着される螺子孔等が設けられている。そして、前記馳締用吊子Ａが前記ボルト等の固着具５３によって受金具５の頂部５１に固着される。
【００１７】
具体的には、該頂部５１に内螺子部が形成され、該内螺子部にボルト等の固着具５３が固着される。前記前記馳締用吊子Ａは、前記取付長孔１１（座金取付長孔４１１も含む）が馳締屈曲部３の延出方向と同一方向に延出するものであり、固着具５３によって固着されるものであるが、一定以上の荷重がかかり、固着具５３による締付力を超えた場合には、前記馳締用吊子Ａは受金具５の頂部５１に対して移動することになる〔図１（Ｃ）参照〕。
【００１８】
次に、折板建築用板６ は、図５（Ａ），（Ｂ）に示すように、主板６１の幅方向両側部分より立上り側部６２，６２が形成され、両立上り側部６２，６２の両端より頂部６３，６３が形成され、該頂部６３，６３の一方の端から下馳部６４が形成され，他方の頂部６３の端には上馳部６５が形成されている。そして、このような折板建築用板６ ，６ …を複数並設し、隣接する折板建築用板６ ，６ 同士の下馳部６４と上馳部６５との間に、前記馳締用吊子Ａの馳締屈曲部３が介在され、前記下馳部６４と前記上馳部６５と前記馳締屈曲部３を介して馳締め結合され馳締外囲体が施工される。具体的には、前記馳締用吊子Ａの馳締屈曲部３の内方側（又は下面側）に下馳部６４が巻き込まれ、前記馳締屈曲部３の外方側（上面側）に上馳部６５が巻き付けるように覆う構造となる。
【００１９】
また、前記下馳部６４と上馳部６５との総称として馳部ということもある。馳締外囲体は、折板建築用板６ ，６ ，…から構成される。前記下馳部６４及び上馳部６５は、図５（Ｂ）に示すように、共に丸馳としたものであり、略円弧状に形成されたものである。また下馳部６４と上馳部６５との別の実施形態では、角形状としたものが存在する。角形状としたものでは、略三角形状に折曲形成されるものである〔図６（Ｂ）参照〕。
【００２０】
まず、平行或いは所定の規則に基づいて配置施工された複数の母屋，胴縁等の構造材７，７，…上に複数の受金具５,５，…が配置固着される。次に、幅方向に複数配置固着された受金具５，５，…のそれぞれの間（隣接する受金具５，５間）に前記折板建築用板６が配置され、幅方向に隣接する折板建築用板６，６の対向する下馳部６４と上馳部６５が前記馳締用吊子Ａの馳締屈曲部３によって馳締固定され、これによって折板建築用板６が受金具５に支持される。
【００２１】
このようにして構成された屋根，壁等とした嵌合外囲体において、それぞれの折板建築用板６に熱伸縮が発生しない状態では、図７（Ａ）に示すように、前記取付長孔１１の延出方向（長手方向）に対して、ボルト等の固着具５３の螺子軸の位置は、取付長孔１１の略中央に位置する。そして、前記折板建築用板６が長手方向に熱伸縮が発生して、前記馳締屈曲部３によって支持固定された下馳部６４と上馳部６５の馳締部に、熱伸縮による熱応力がかかり、前記馳締用吊子Ａを固着する固着具５３の締付力を上回ったときに、馳締用吊子Ａが受金具の頂部上を移動するものである。
【００２２】
すなわち、前記固着具５３による馳締用吊子Ａの受金具５に対する締付力をＴとし、折板建築用板６の熱伸縮による熱応力をＫとすると、前記折板建築用板６の伸び又は縮みの方向に対して、締付力Ｔ＞熱応力Ｋの場合には、馳締用吊子Ａは不動状態が維持される。そして、締付力Ｔ＜熱応力Ｋの場合には、熱伸縮による伸び或いは縮みが馳締用吊子Ａに対して外力となり、該馳締用吊子Ａを受金具５の固着具５３に対して移動させることになる。したがって、馳締用吊子Ａは、固着具５３の締付力Ｔの大きさによって、熱応力Ｋに対する不動状態を調整することができるものであり、熱伸縮による音鳴り現象を防止するには、締付力Ｔを小さく設定し、また熱伸縮量を抑える必要があれば、前記締付力Ｔを大きく設定することになる。
【００２３】
このように、前記折板建築用板６の熱伸縮による熱応力Ｋの水平方向の力が一定以上の水準を越える時点から馳締用吊子Ａは、受金具５の固着具５３に対して、その長孔に沿って移動することができるものである。熱応力Ｋの水準は、各地域の気候等によって決定される。図７（Ｂ）は熱伸縮により、前記折板建築用板６が長さΔＬだけ伸びたときの馳締用吊子Ａと受金具５の固着具５３との位置関係を示す状態図である。また図７（Ｃ）は熱伸縮により、前記折板建築用板６が長さΔＬだけ縮んだときの馳締用吊子Ａと受金具５の固着具５３との位置関係を示す状態図である。図７（Ｂ）は、熱応力Ｋによって折板建築用板６が伸びた場合に、前記折板建築用板６の非伸縮時における任意の基準位置ＭからΔＬだけ長く伸びたことを示す。また、図７（Ｃ）は、熱応力Ｋによって折板建築用板６が縮んだ場合に、前記折板建築用板６の非伸縮時における任意の基準位置ＭからΔＬだけ短く縮んだことを示す。なお、図７（Ｃ）では、折板建築用板６が基準位置Ｍから短く縮んだことを−ΔＬで示している。
【００２４】
本発明における馳締外囲体は、折板建築用板６の長手方向における熱伸縮が発生したときに、馳締用吊子Ａに取付台座部1に取付長孔１１が形成され、座金部４にも座金取付長孔４１１が形成されいずれも同一形状であるので、折板建築用板６の熱伸縮による熱応力が一定以上になると馳締用吊子Ａは、受金具５の固着具５３に対して、その長孔（取付長孔１１及び座金取付長孔４１１）の延出方向に沿って移動し、熱伸縮を吸収し、ひいては音鳴り現象も防止することができるものである。
【図面の簡単な説明】
【００２５】
【図１】（Ａ）は本発明の馳締用吊子を使用した外囲体の側面略示図、（Ｂ）は（Ａ）の一部切除した要部拡大図、（Ｃ）は馳締用吊子の受金具への装着構造を示す一部断面にした要部拡大図である。
【図２】（Ａ）は本発明における馳締用吊子の斜視図、（Ｂ）は馳締用吊子の平面図、（Ｃ）は馳締用吊子の一部断面にした側面図、（Ｄ）は（Ｃ）のＸａ―Ｘａ矢視断面図である。
【図３】（Ａ）は馳締用吊子の別の実施形態の斜視図、（Ｂ）は馳締用吊子の平面図、（Ｃ）は馳締用吊子の一部断面にした側面図、（Ｄ）は（Ｃ）のＸｂ―Ｘｂ矢視断面図である。
【図４】（Ａ）は馳締用吊子に座金部が使用されない実施形態の斜視図、（Ｂ）は（Ａ）の縦断正面図である。
【図５】（Ａ）は本発明の馳締用吊子を使用した外囲体の正面略示図、（Ｂ）は（Ａ）の要部拡大図である。
【図６】（Ａ）は角馳に対応する実施形態の馳締用吊子の一部断面とした正面図、（Ｂ）は（Ａ）の馳締用吊子を使用した馳締外囲体の要部拡大図である。
【図７】（Ａ）は折板建築用板が熱伸縮しないときの馳締用吊子と受金具との位置関係を示す状態図、（Ｂ）及び（Ｃ）は折板建築用板が熱伸縮したときの馳締用吊子と受金具との位置関係を示す状態図である。
【符号の説明】
【００２６】
Ａ…馳締用吊子、１…取付台座部、１１…取付長孔、３…馳締屈曲部、５…受金具、
５３…固着具、４…座金部、４１１…座金取付長孔、６…折板建築用板、６１…主板、
６２…立上り側部、６４…下馳部、６５…上馳部。
【図１】
2008184829.tif 000003
【図２】
2008184829.tif 000004
【図３】
2008184829.tif 000005
【図４】
2008184829.tif 000006
【図５】
2008184829.tif 000007
【図６】
2008184829.tif 000008
【図７】
2008184829.tif 000009